(57)【特許請求の範囲】
【請求項１】
被検眼を撮影するための光学系を含む光学ヘッドを備える眼科撮影装置であって、
前記光学ヘッドの撮影位置を検出する検出手段と、
前記被検眼を過去に撮影した際に前記検出手段で検出された前記光学ヘッドの撮影位置に係る第１の撮影位置情報を記憶する記憶手段と、
前記第１の撮影位置情報と、前記検出手段で検出された現在の前記光学ヘッドの撮影位置に係る第２の撮影位置情報とを比較する比較手段と、
前記比較手段による比較の結果、前記第１の撮影位置情報と前記第２の撮影位置情報とが異なる場合に、前記第１の撮影位置情報に対する前記第２の撮影位置情報のずれを示す指標を表示部に表示させる表示制御手段と
を有することを特徴とする眼科撮影装置。
【請求項２】
当該眼科撮影装置は、前記光学ヘッドを垂直方向にチルティングさせるためのチルティング機構と、前記光学ヘッドを水平方向にパンニングさせるためのパンニング機構とを更に備えて構成されており、
前記検出手段は、前記光学ヘッドの撮影位置として、前記チルティング機構による前記光学ヘッドのチルティング位置および前記パンニング機構による前記光学ヘッドのパンニング位置を検出することを特徴とする請求項１に記載の眼科撮影装置。
【請求項３】
被検眼を撮影するための光学系を含む光学ヘッドを備える眼科撮影装置であって、
前記被検眼における水平方向の２点間の長さおよび前記被検眼における垂直方向の２点間の長さを検出することで前記光学ヘッドの撮影位置を検出する検出手段と、
前記被検眼を過去に撮影した際に前記検出手段で検出された前記光学ヘッドの撮影位置に係る第１の撮影位置情報を記憶する記憶手段と、
前記第１の撮影位置情報と、前記検出手段で検出された現在の前記光学ヘッドの撮影位置に係る第２の撮影位置情報とを比較する比較手段と、
前記比較手段による比較の結果を表示部に表示させる表示制御手段と
を有することを特徴とする眼科撮影装置。
【請求項４】
被検眼を撮影するための光学系を含む光学ヘッドを備える眼科撮影装置であって、
前記被検眼における注目領域の縦方向の長さおよび横方向の長さを検出することで前記光学ヘッドの撮影位置を検出する検出手段と、
前記被検眼を過去に撮影した際に前記検出手段で検出された前記光学ヘッドの撮影位置に係る第１の撮影位置情報を記憶する記憶手段と、
前記第１の撮影位置情報と、前記検出手段で検出された現在の前記光学ヘッドの撮影位置に係る第２の撮影位置情報とを比較する比較手段と、
前記比較手段による比較の結果を表示部に表示させる表示制御手段と
を有することを特徴とする眼科撮影装置。
【請求項５】
前記指標は、前記第１の撮影位置情報に対する前記第２の撮影位置情報のずれ量を少なくする方向を示すものであることを特徴とする請求項１に記載の眼科撮影装置。
【請求項６】
前記記憶手段は、前記被検眼を過去に撮影した際に得られた撮影画像と対応付けて前記第１の撮影位置情報を記憶することを特徴とする請求項１乃至５のいずれか１項に記載の眼科撮影装置。
【請求項７】
前記比較手段による比較の結果、前記第１の撮影位置情報と前記第２の撮影位置情報とが同じである場合に、前記光学ヘッドによる撮影を実行する制御を行う撮影制御手段を更に有することを特徴とする請求項１乃至６のいずれか１項に記載の眼科撮影装置。
【請求項８】
被検眼を撮影するための光学系を含む光学ヘッドを備える眼科撮影装置の制御方法であって、
前記光学ヘッドの撮影位置を検出手段で検出する検出ステップと、
前記被検眼を過去に撮影した際に前記検出手段で検出された前記光学ヘッドの撮影位置に係る第１の撮影位置情報を記憶手段に記憶する記憶ステップと、
前記第１の撮影位置情報と、前記検出手段で検出された現在の前記光学ヘッドの撮影位置に係る第２の撮影位置情報とを比較する比較ステップと、
前記比較ステップによる比較の結果、前記第１の撮影位置情報と前記第２の撮影位置情報とが異なる場合に、前記第１の撮影位置情報に対する前記第２の撮影位置情報のずれを示す指標を表示部に表示させる表示制御ステップと
を有することを特徴とする眼科撮影装置の制御方法。
【請求項９】
被検眼を撮影するための光学系を含む光学ヘッドを備える眼科撮影装置の制御方法をコンピュータに実行させるためのプログラムであって、
前記光学ヘッドの撮影位置を検出手段で検出する検出ステップと、
前記被検眼を過去に撮影した際に前記検出手段で検出された前記光学ヘッドの撮影位置に係る第１の撮影位置情報を記憶手段に記憶する記憶ステップと、
前記第１の撮影位置情報と、前記検出手段で検出された現在の前記光学ヘッドの撮影位置に係る第２の撮影位置情報とを比較する比較ステップと、
前記比較ステップによる比較の結果、前記第１の撮影位置情報と前記第２の撮影位置情報とが異なる場合に、前記第１の撮影位置情報に対する前記第２の撮影位置情報のずれを示す指標を表示部に表示させる表示制御ステップと
をコンピュータに実行させるためのプログラム。
【発明の詳細な説明】
【技術分野】
【０００１】
本発明は、被検眼を撮影するための光学系を含む光学ヘッドを備える眼科撮影装置及びその制御方法、並びに、当該制御方法をコンピュータに実行させるためのプログラムに関するものである。
【背景技術】
【０００２】
現在、光学機器を用いた眼科用装置として、様々なものが使用されている。例えば、被検眼を観察・撮影する眼科撮影装置として、前眼部撮影装置、眼底カメラ、共焦点レーザー走査検眼鏡（Ｓｃａｎｎｉｎｇ  Ｌａｓｅｒ  Ｏｐｈｔｈａｌｍｏｓｃｏｐｅ：ＳＬＯ）装置、ＡＯ−ＳＬＯ（Ａｄａｐｔｉｖｅ  Ｏｐｔｉｃｓ  −  ＳＬＯ）装置、光コヒーレンストモグラフィ（Ｏｐｔｉｃａｌ  Ｃｏｈｅｒｅｎｃｅ  Ｔｏｍｏｇｒａｐｈｙ：ＯＣＴ）装置等の様々な装置が使用されている。ここで、ＯＣＴ装置は、被検眼の所定領域の断層画像を高解像度に得ることができる装置であり、眼科用装置として被検眼の網膜の専門外来では必要不可欠な装置になりつつある。
【０００３】
具体的に、ＯＣＴ装置では、低コヒーレント光である光を、参照光と測定光とに分け、測定光を被検眼に照射し、その被検眼からの戻り光と参照光とを干渉させることによって、被検眼の断層画像を取得することができる。また、ＯＣＴ装置では、測定光を、所定領域上にスキャンすることで、高解像度の断層画像を得ることができる。そのため、被検眼の眼底部における網膜の断層画像が取得され、網膜の眼科診断等において広く利用されている。
【０００４】
従来、被検眼の経過観察を行う場合に、過去に撮影された画像と同一部位の撮影（フォローアップ撮影）を行うため、過去画像の走査位置、走査パターン、走査角度等の走査情報に基づいてフォローアップ撮影を行うＯＣＴ装置が提案されている（特許文献１参照）。また、従来、被検眼の眼底部を広範囲に撮影するパノラマ撮影を行う眼科撮影装置も提案されている（特許文献２参照）。そして、この特許文献２に記載の眼科撮影装置では、パノラマ撮影を行う場合に、被検眼を撮影するための光学ヘッド等を被検眼に対して傾けて撮影を行うことが記載されている。
【先行技術文献】
【特許文献】
【０００５】
【特許文献１】特開２０１０−１１０３９１号公報
【特許文献２】特開２０１２−２１３５１３号公報
【発明の概要】
【発明が解決しようとする課題】
【０００６】
しかしながら、上述した従来の技術では、被検眼を撮影するための光学ヘッドの撮影位置を被検眼に対して可変可能な眼科撮影装置を用いて被検眼の経過観察を行うことを想定したものではなかった。このため、従来の技術では、被検眼を撮影するための光学ヘッドの撮影位置を被検眼に対して可変可能な眼科撮影装置を用いて被検眼の経過観察を行う場合に、適正な評価を行うことが困難であった。
【０００７】
本発明は、このような問題点に鑑みてなされたものであり、被検眼を撮影するための光学ヘッドの撮影位置を被検眼に対して可変可能な眼科撮影装置を用いて被検眼の経過観察を行う場合に、適正な評価を行える仕組みを提供することを目的とする。
【課題を解決するための手段】
【０００８】
本発明の眼科撮影装置は、被検眼を撮影するための光学系を含む光学ヘッドを備える眼科撮影装置であって、前記光学ヘッドの撮影位置を検出する検出手段と、前記被検眼を過去に撮影した際に前記検出手段で検出された前記光学ヘッドの撮影位置に係る第１の撮影位置情報を記憶する記憶手段と、前記第１の撮影位置情報と、前記検出手段で検出された現在の前記光学ヘッドの撮影位置に係る第２の撮影位置情報とを比較する比較手段と、前記比較手段による比較の結果、前記第１の撮影位置情報と前記第２の撮影位置情報とが異なる場合に、前記第１の撮影位置情報に対する前記第２の撮影位置情報のずれを示す指標を表示部に表示させる表示制御手段とを有する。
本発明の眼科撮影装置における他の態様は、被検眼を撮影するための光学系を含む光学ヘッドを備える眼科撮影装置であって、前記被検眼における水平方向の２点間の長さおよび前記被検眼における垂直方向の２点間の長さを検出することで前記光学ヘッドの撮影位置を検出する検出手段と、前記被検眼を過去に撮影した際に前記検出手段で検出された前記光学ヘッドの撮影位置に係る第１の撮影位置情報を記憶する記憶手段と、前記第１の撮影位置情報と、前記検出手段で検出された現在の前記光学ヘッドの撮影位置に係る第２の撮影位置情報とを比較する比較手段と、前記比較手段による比較の結果を表示部に表示させる表示制御手段とを有する。
また、本発明の眼科撮影装置におけるその他の態様は、被検眼を撮影するための光学系を含む光学ヘッドを備える眼科撮影装置であって、前記被検眼における注目領域の縦方向の長さおよび横方向の長さを検出することで前記光学ヘッドの撮影位置を検出する検出手段と、前記被検眼を過去に撮影した際に前記検出手段で検出された前記光学ヘッドの撮影位置に係る第１の撮影位置情報を記憶する記憶手段と、前記第１の撮影位置情報と、前記検出手段で検出された現在の前記光学ヘッドの撮影位置に係る第２の撮影位置情報とを比較する比較手段と、前記比較手段による比較の結果を表示部に表示させる表示制御手段とを有する。
また、本発明は、上述した眼科撮影装置の制御方法、及び、当該制御方法をコンピュータに実行させるためのプログラムを含む。
【発明の効果】
【０００９】
本発明によれば、被検眼を撮影するための光学ヘッドの撮影位置を被検眼に対して可変可能な眼科撮影装置を用いて被検眼の経過観察を行う場合に、適正な評価を行うことが可能となる。
【図面の簡単な説明】
【００１０】
【図１−１】本発明の第１の実施形態に係る眼科撮影装置の外観構成の一例を示す図である。
【図１−２】図１−１に示す光学ヘッドの内部構成の一例を示す図である。
【図２】本発明の第１の実施形態を示し、図１−１に示すチルティング機構部による光学ヘッドのチルティング角度、及び、図１−１に示すパンニング機構部による光学ヘッドのパンニング角度の検出方法を説明するための図である。
【図３−１】本発明の第１の実施形態に係る眼科撮影装置の制御方法における処理手順の一例を示すフローチャートである。
【図３−２】本発明の第２の実施形態に係る眼科撮影装置の制御方法における処理手順の一例を示すフローチャートである。
【図３−３】本発明の第３の実施形態に係る眼科撮影装置の制御方法における処理手順の一例を示すフローチャートである。
【図４】図３のステップＳ１０１において表示される患者選択画面の一例を示す図である。
【図５−１】本発明の第１の実施形態を示し、図１−１の表示部に表示される撮影画面の一例を示す図である。
【図５−２】本発明の第２の実施形態を示し、図１−１の表示部に表示される撮影画面の一例を示す図である。
【図５−３】本発明の第３の実施形態を示し、図１−１の表示部に表示される撮影画面の一例を示す図である。
【図６】本発明の第２の実施形態を示し、図１−１に示すパンニング機構部による光学ヘッドのパンニング角度の検出方法を説明するための図である。
【図７】本発明の第３の実施形態を示し、図１−１に示すチルティング機構部による光学ヘッドのチルティング角度の検出方法を説明するための図である。
【発明を実施するための形態】
【００１１】
以下に、図面を参照しながら、本発明を実施するための形態（実施形態）について説明する。
【００１２】
（第１の実施形態）
まず、本発明の第１の実施形態について説明する。
【００１３】
＜眼科撮影装置の概略構成＞
図１−１は、本発明の第１の実施形態に係る眼科撮影装置１０の外観構成の一例を示す図である。眼科撮影装置１０は、図１−１に示すように、光学ヘッド１００、ステージ部２００、チルティング機構部２０１、パンニング機構部２０２、ベース部２０３、ジョイスティック２０４、情報処理部２１０、表示部２１２、入力部２１３、及び、被検眼位置固定部３００を有して構成されている。
【００１４】
光学ヘッド１００は、被検眼を撮影するための光学系を含み構成されており、被検眼の前眼部における前眼部画像及び被検眼の眼底部における眼底画像の２次元画像、並びに、被検眼の断層画像を撮影する。
【００１５】
ステージ部２００は、光学ヘッド１００を図１−１に示すｘ方向、ｙ方向及びｚ方向に移動させるためのものである。チルティング機構部２０１は、光学ヘッド１００を垂直方向にチルティング（単に、「チルト」と称することもある）させるためのものである。パンニング機構部２０２は、光学ヘッド１００を水平方向にパンニング（単に、「パン」と称することもある）させるためのものである。ベース部２０３は、ステージ部２００及び被検眼位置固定部３００を支持するものである。ジョイスティック２０４は、検者等が、ステージ部２００を介して、光学ヘッド１００を図１−１に示すｘ方向、ｙ方向及びｚ方向に移動させる際に、検者等により操作されるものである。
【００１６】
情報処理部２１０は、眼科撮影装置１０の動作を統括的に制御することや眼科撮影装置１０における各種の処理を行うものであり、例えばパーソナル・コンピュータから構成されている。この情報処理部２１０は、光学ヘッド１００の撮影位置を検出する。この検出を行う情報処理部２１０は、検出手段を構成する。具体的に、本実施形態では、情報処理部２１０は、光学ヘッド１００の撮影位置として、チルティング機構部２０１による光学ヘッド１００のチルティング位置及びパンニング機構部２０２による光学ヘッド１００のパンニング位置を検出する。また、情報処理部２１０には、情報処理部２１０で行われる各種の処理を行うためのプログラムや、各種の情報及び各種のデータを記憶する記憶部２１１が設けられている。本実施形態では、記憶部２１１には、各被検眼ごとに、過去に撮影した際に得られた撮影画像と当該撮影画像を撮影した際に情報処理部２１０で検出された光学ヘッド１００の撮影位置に係る撮影位置情報（第１の撮影位置情報）とが対応付けられて記憶される。
【００１７】
また、情報処理部２１０は、現在の光学ヘッド１００の撮影位置に係る撮影位置情報（第２の撮影位置情報）を検出し、各被検眼ごとに、上述した第１の撮影位置情報と第２の撮影位置情報とを比較する。この比較を行う情報処理部２１０は、比較手段を構成する。そして、情報処理部２１０は、当該比較の結果を表示部２１２に表示する制御を行う。この表示部２１２に対する表示の制御を行う情報処理部２１０は、表示制御手段を構成する。
【００１８】
表示部２１２は、情報処理部２１０の制御に基づいて、各種の情報や各種のデータを表示するモニタ等である。入力部２１３は、情報処理部２１０に対して、各種の情報等を入力するためのものであり、例えばキーボード及びマウスから構成されている。
【００１９】
被検眼位置固定部３００は、被検者の顎と額とを固定することで、被検者の眼（被検眼）の位置を固定するための機構である。この被検眼位置固定部３００は、図１−１に示すように、顎受け部３０１、額当て部３０２、目高線３０３、及び、外部固視灯３０４を備えて構成されている。
【００２０】
次に、光学ヘッド１００の内部構成について説明する。
図１−２は、図１−１に示す光学ヘッド１００の内部構成の一例を示す図である。
【００２１】
まず、測定光学系について説明する。
被検眼Ｅに対向して対物レンズ１３５−１が設置され、その光軸上で第１ダイクロイックミラー１３２−１及び第２ダイクロイックミラー１３２−２によって、波長帯域ごとに、ＯＣＴ光学系の光路１９１、眼底部観察と固視灯用の光路１９２及び前眼部観察用の光路１９３とに分岐される。
【００２２】
光路１９２では、穴あきミラー１３３によって被検眼Ｅの眼底部からの反射光が眼底部観察用のＣＣＤ１７２に導かれる。また、光路１９２には、第３ダイクロイックミラー１３２−３によって眼底部観察用のＳＬＯ光源１８１及び内部固視灯１８２からの光が導かれる。また、光路１９２には、レンズ１３５−３及び１３５−４が配置されており、レンズ１３５−３は、内部固視灯１８２及び眼底部観察用の焦点合わせのためモータ（不図示）によって駆動される。ＳＬＯ光源１８１は、中心波長が７８０ｎｍの光を出射する。内部固視灯１８２は、可視光を発生して被検者の被検眼における固視を促すものである。
【００２３】
光路１９３には、レンズ１３５−２から前眼部観察用の赤外線ＣＣＤ１７１が配置されている。この赤外線ＣＣＤ１７１は、前眼部観察用照明光の波長、具体的には９７０ｎｍ付近に感度を持つものである。
【００２４】
光路１９１は、上述したようにＯＣＴ光学系の光路であり、被検眼Ｅの眼底部の断層画像を撮影するための光路である。より具体的には、断層画像を形成するための干渉信号を得るためものである。光路１９１には、披検眼Ｅへの光照射を撮影時のみにするためのシャッター１１７、光を被検眼Ｅの眼底部上で走査するためのＸＹスキャナ１３４が配置されている。このＸＹスキャナ１３４は、１枚のミラーとして図示しているが、Ｘ軸方向とＹ軸方向との２軸方向の走査を行うものである。また、光路１９１には、レンズ１３５−５及び１３５−６が配置されている。そのうちのレンズ１３５−５は、ファイバーカプラー１０６に接続されているファイバー１３１−２から出射する光源１０１からの光を被検眼Ｅの眼底部上に焦点合わせするためにモータ（不図示）によって駆動される。この焦点合わせによって被検眼Ｅの眼底部からの光は、同時にファイバー１３１−２の先端にスポット状に結像されて入射されることになる。
【００２５】
次に、光源１０１からの光路と参照光学系の構成について説明する。
光源１０１は、波長を変化させることが可能な波長挿引型光源であり、例えば、中心波長が１０４０ｎｍ程度でバンド幅が１００ｎｍ程度の光を出射する。光源１０１から出射された光は、ファイバー１０２を介して、ファイバーカプラー１０４に導かれ、光量を測定するためのファイバー１３１−１とＯＣＴ測定するためのファイバー１０５とに分岐される。光源１０１から出射された光は、ファイバー１３１−１を介して、ＰＭ（Ｐｏｗｅｒ  Ｍｅｔｅｒ）１３０においてそのパワーが測定される。また、ファイバー１０５を介した光は、ファイバーカプラー１０６に導かれる。ファイバーカプラー１０６は、光源１０１からの光が伝送される光路を参照光路と測定光路とに分割する分割部として機能する。このファイバーカプラー１０６により、光源１０１からの光は、測定光（ＯＣＴ測定光とも言う）と参照光とに分岐される。なお、ファイバーカプラー１０４の分岐比は、９９：１であり、また、ファイバーカプラー１０６の分岐比は、９０（参照光）：１０（測定光）である。
【００２６】
ファイバーカプラー１０６で分岐された測定光は、ファイバー１３１−２を介して、コリメータ１１６から平行光として出射される。ファイバー１３１−２には、測定光側の偏光調整部１３９−１が設けられている。また、ファイバー１３１−３には、参照光側の偏光調整部１３９−２が設けられている。これらの偏光調整部は、ファイバーをループ状に引き回した部分を幾つか持ち、このループ状の部分をファイバーの長手方向を中心として回動させることでファイバーに捩じりを加えて、測定光と参照光の偏光状態を各々調整して合わせることが可能なものである。本実施形態における光学ヘッド１００では、予め測定光と参照光の偏光状態が調整されて固定されている。出射された測定光は、測定光学系を通り、被検眼の眼底部で所望の範囲の領域を走査する。
【００２７】
また、ファイバーカプラー１０６で分岐された参照光は、ファイバー１３１−３及び参照光側の偏光調整部１３９−２を介して、コリメータ１２０−１から平行光として出射される。コリメータ１２０−１から出射された参照光は、分散補償ガラス１２１を介して、コヒーレンスゲートステージ１２２上の参照ミラー１２３−１及び１２３−２で反射される。その後、参照光は、コリメータ１２０−２及びファイバー１２４を介して、ファイバーカプラー１２６に到達する。
【００２８】
コヒーレンスゲートステージ１２２は、参照ミラー１２３−１及び１２３−２の位置を変更する変更部として機能し、かかる機能により測定光の光路長と参照光の光路長を調整する。また、参照ミラー１２３−１及び１２３−２は、測定光の光路長と参照光の光路長とが等しくなる位置が撮影対象付近となるように配置される。コヒーレンスゲートステージ１２２は、被検眼Ｅの眼軸長の相違等に対応するため、モータ（不図示）によって駆動される。
【００２９】
ファイバーカプラー１２６は、参照光路を経由した参照光と測定光路を経由した測定光とを合波する合波部として機能する。これにより、ファイバーカプラー１２６に到達した測定光と参照光とは合波されて干渉光となり、ファイバー１２７及び１２８を経由し、合波された光を検出する光検出器である差動検出器（ｂａｌａｎｃｅｄ  ｒｅｃｅｉｖｅｒ）１２９によって干渉光が電気信号（干渉信号）に変換される。差動検出器１２９から出力されたそれぞれの干渉信号に対して、一般的な再構成処理を行うことで断層画像が生成されて取得される。
【００３０】
次に、本実施形態におけるフォローアップ撮影時の処理について説明する。
【００３１】
図２は、本発明の第１の実施形態を示し、図１−１に示すチルティング機構部２０１による光学ヘッド１００のチルティング角度、及び、図１−１に示すパンニング機構部２０２による光学ヘッド１００のパンニング角度の検出方法を説明するための図である。具体的に、図２（ａ）に、図１−１に示すチルティング機構部２０１による光学ヘッド１００のチルティング角度の検知方法の一例を示し、図２（ｂ）に、図１−１に示すパンニング機構部２０２による光学ヘッド１００のパンニング角度の検知方法の一例を示す。
【００３２】
図２（ａ）において、チルティング機構部２０１にはエンコーダー２０１２が固定されており、また、光学ヘッド１００にはチルティング検知センサー２０１１が固定されている。光学ヘッド１００を垂直方向にチルティングさせた時に、チルティング検知センサー２０１１が、エンコーダー２０１２を読み取ることにより、光学ヘッド１００のチルティング角度が検知される。そして、情報処理部２１０は、チルティング検知センサー２０１１で検知されたチルティング角度に従って、光学ヘッド１００のチルティング位置を検出する。
【００３３】
図２（ｂ）において、光学ヘッド（１００）の回転軸２０２３にはエンコーダー２０２２が固定されており、パンニング機構部２０２にはパンニング検知センサー２０２１が固定されている。光学ヘッド（１００）を水平方向にパンニングさせた時にエンコーダー２０２２が回転し、パンニング検知センサー２０２１が、このエンコーダー２０２２を読み取ることにより、光学ヘッド１００のパンニング角度が検知される。そして、情報処理部２１０は、パンニング検知センサー２０２１で検知されたパンニング角度に従って、光学ヘッド１００のパンニング位置を検出する。
【００３４】
また、情報処理部２１０は、検出したチルティング位置（チルティング角度）及びパンニング位置（パンニング角度）の情報を被検者情報として撮影画像と対応付けて、記憶部２１１に記憶する。ここで、被検者情報としては、チルティング位置（チルティング角度）及びパンニング位置（パンニング角度）の情報だけでなく、被検眼Ｅの情報、光学ヘッド１００のｘｙｚ方向位置情報、内部固視位置情報、ガルバノ角度情報、及び、スキャン範囲情報を記憶してもよい。
【００３５】
また、本実施形態では、その他の角度検知方法として、エンコーダーではなくポテンショメーターを用いて、各角度を検知することもできる。
【００３６】
次に、本実施形態に係る眼科撮影装置１０の制御方法における処理手順について説明する。
図３−１は、本発明の第１の実施形態に係る眼科撮影装置１０の制御方法における処理手順の一例を示すフローチャートである。なお、図３−１のフローチャートの処理を開始するのに際しては、予め記憶部２１１には、各被検者ごとに、過去に被検眼Ｅを撮影した際の光学ヘッド１００の撮影位置に係る撮影位置情報（第１の撮影位置情報）が記憶されているものとする。
【００３７】
まず、ステップＳ１０１において、情報処理部２１０は、表示部２１２に患者選択画面を表示する制御を行う。
【００３８】
図４は、図３のステップＳ１０１において表示される患者選択画面４００の一例を示す図である。
図４に示す患者選択画面４００には、被検者リスト４０１、被検者ボタン４０２、及び、撮影ボタン４０３が示されている。検者が被検者ボタン４０２を選択すると、情報処理部２１０は、被検者リスト４０１を表示する制御を行う。
【００３９】
ここで、再び、図３−１の説明に戻る。
ステップＳ１０１の処理が終了すると、ステップＳ１０２に進む。
ステップＳ１０２に進むと、情報処理部２１０は、例えば検者により入力部２１３を介して入力された情報に基づいて、図４に示す被検者リスト４０１に、検査対象の被検者の情報があるか否かを判断する。
【００４０】
ステップＳ１０２の判断の結果、図４に示す被検者リスト４０１に、検査対象の被検者の情報がある場合には（Ｓ１０２／Ｙｅｓ）、ステップＳ１０３に進む。
ステップＳ１０３に進むと、情報処理部２１０は、記憶部２１１から、当該検査対象の被検者において過去に被検眼Ｅを撮影した際の光学ヘッド１００の撮影位置に係る撮影位置情報（第１の撮影位置情報）を読み出す。ここで、図３−１に示す例では、撮影位置情報として、チルティング角度及びパンニング角度（図３−１では「パンチルト角度」と略記している）の情報を読み出す。
【００４１】
続いて、ステップＳ１０４において、情報処理部２１０は、現在の光学ヘッド１００の撮影位置を検出する。ここで検出された撮影位置に係る撮影位置情報は、第２の撮影位置情報を構成する。具体的に、図３−１に示す例では、チルティング角度及びパンニング角度（図３−１では「パンチルト角度」と略記している）を検出する。
【００４２】
続いて、ステップＳ１０５において、情報処理部２１０は、ステップＳ１０３で読み出した過去のパンチルト角度と、ステップＳ１０４で検出した現在のパンチルト角度とを比較し、両者が同じであるか否かを判断する。
【００４３】
ステップＳ１０５の判断の結果、ステップＳ１０３で読み出した過去のパンチルト角度と、ステップＳ１０４で検出した現在のパンチルト角度とが同じでない（即ち、異なる）場合には（Ｓ１０５／Ｎｏ）、ステップＳ１０６に進む。
ステップＳ１０６に進むと、情報処理部２１０は、表示部２１２の撮影画面に、現在の光学ヘッド１００のパンチルトを動かすように促す指標を表示する制御を行う。具体的に、本実施形態では、過去のパンチルト角度に対する現在のパンチルト角度のずれを示す指標を表示部２１２に表示する制御を行う。
【００４４】
図５−１は、本発明の第１の実施形態を示し、図１−１の表示部２１２に表示される撮影画面５１０の一例を示す図である。
この撮影画面５１０には、被検眼が右眼か左眼かを示す左右眼表示部５０１、スキャンモード表示部５０２、マウスポインタ５０３、眼底画像（ＳＬＯ画像）表示部５０４、フォーカスバー５０５、断層画像（ＯＣＴ画像）表示部５０６、キャプチャーボタン５０７、スタートボタン５０８、指標５１１及び５１２が示されている。ここで、指標５１１はパンニングを促す矢印の指標であり、指標５１２はチルティングを促す矢印の指標である。この指標５１１及び５１２を表示することで、検者に対して、光学ヘッド１００のパンチルト角度を変えるように促すことができる。具体的に、本実施形態では、過去のパンチルト角度に対する現在のパンチルト角度のずれ量を少なくする方向に検者にパンチルトさせるように、例えば、指標５１１及び５１２の当該方向の矢印をハイライト表示することや、指標５１１及び５１２の当該方向の矢印のみを表示する。
【００４５】
ここで、再び、図３−１の説明に戻る。
ステップＳ１０６の処理が終了すると、ステップＳ１０４に戻る。そして、ステップＳ１０４以降の処理が再度行われる。このステップＳ１０４〜Ｓ１０６のループは、ステップＳ１０５において、ステップＳ１０３で読み出した過去のパンチルト角度とステップＳ１０４で検出した現在のパンチルト角度とが同じであると判断されるまで繰り返される。
【００４６】
また、ステップＳ１０２の判断の結果、図４に示す被検者リスト４０１に、検査対象の被検者の情報がない場合には（Ｓ１０２／Ｎｏ）、ステップＳ１０７に進む。
ステップＳ１０７に進むと、情報処理部２１０は、入力部２１３から、当該検査対象の被検者に係る患者情報の入力を受け付ける。
【００４７】
ステップＳ１０７の処理が終了した場合、或いは、ステップＳ１０５で過去のパンチルト角度と現在のパンチルト角度とが同じであると判断された場合には（Ｓ１０５／Ｙｅｓ）、ステップＳ１０８に進む。
ステップＳ１０８に進むと、情報処理部２１０は、当該検査対象の被検者における被検眼Ｅの撮影を実行する制御を行う。この撮影制御を行う情報処理部２１０は、撮影制御手段を構成する。
【００４８】
続いて、ステップＳ１０９において、情報処理部２１０は、ステップＳ１０８の撮影により得られた撮影画像と対応付けて、ステップＳ１０４で検出した撮影位置情報である第２の撮影位置情報（パンチルト角度）を記憶部２１１に記憶して保存する。
【００４９】
ステップＳ１０９の処理が終了すると、図３−１のフローチャートの処理が終了する。
【００５０】
第１の実施形態によれば、被検眼Ｅの経過観察を行う場合に、過去に撮影した過去画像の場合と同じ光学ヘッド１００の撮影位置で撮影を行うことができる。これにより、過去の撮影と同様の位置に被検眼Ｅを固定できれば、過去に撮影した過去画像と同一の被検眼Ｅの部位を撮影することができるため、被検眼Ｅの経過観察を行う場合に、適正な評価を行うことが可能となる。
【００５１】
（第２の実施形態）
次に、本発明の第２の実施形態について説明する。
【００５２】
上述した第１の実施形態では、チルティング位置（チルティング角度）及びパンニング位置（パンニング角度）の情報を、エンコーダーやポテンショメーターを用いて取得する形態であった。しかしながら、本発明においてはこの形態に限定されるものではない。第２の実施形態では、チルティング位置（チルティング角度）及びパンニング位置（パンニング角度）の情報を、被検眼Ｅの撮影画像または観察画像から取得する形態を採る。
【００５３】
第２の実施形態に係る眼科撮影装置の外観構成は、上述した図１−１に示す第１の実施形態に係る眼科撮影装置１０の外観構成と同様である。また、第２の実施形態における光学ヘッド１００の内部構成は、上述した図１−２に示す第１の実施形態における光学ヘッド１００の内部構成と同様である。なお、第２の実施形態に係る眼科撮影装置１０には、上述した第１の実施形態におけるエンコーダー等を備えないこととしてもよいし、また備えることとしてもよい。
【００５４】
次に、本実施形態におけるフォローアップ撮影時の処理について説明する。
【００５５】
図６は、本発明の第２の実施形態を示し、図１−１に示すパンニング機構部２０２による光学ヘッド１００のパンニング角度の検出方法を説明するための図である。
【００５６】
図６（ａ）において、第１の注目点６０１及び第２の注目点６０２は、被検眼Ｅの網膜上（撮影画像／観察画像）における水平方向の任意の２点である。また、図６（ｂ）は、図６（ａ）に示す第１の注目点６０１及び第２の注目点６０２を抜き出した図である。
【００５７】
図６（ｂ）において、第１の注目点６０１と第２の注目点６０２とを結ぶ直線６１０の長さ（２点間の長さ）６１１は、光学ヘッド１００が被検眼Ｅに対してパンニングしていない場合（図６（ｂ）の正面方向から見た場合）の長さを表している。一方、光学ヘッド１００が被検眼Ｅに対してパンニングした場合（図６（ｂ）の斜め方向から見た場合）、第２の注目点６０２は見かけ上、第３の注目点６０３に見える。このため、見かけ上の長さは、第１の注目点６０１と第３の注目点６０３を結ぶ直線６２０の長さ（２点間の長さ）６２１になる。ここで、光学ヘッド１００をパンニングしない場合とパンニングした場合とで、第１の注目点６０１と第２の注目点６０２とを結ぶ直線の見かけ上の長さは変化する。本実施形態では、この点に着目し、情報処理部２１０は、この被検眼Ｅにおける水平方向の２点間の長さを検出することで、光学ヘッド１００のパンニング位置（パンニング角度）を検出する。
【００５８】
同様に、情報処理部２１０は、被検眼Ｅの網膜上（撮影画像／観察画像）における垂直方向の任意の２点を設定し、当該２点を結ぶ直線の長さの変化を考慮して当該２点間の長さを検出することで、光学ヘッド１００のチルティング位置（チルティング角度）を検出する。
【００５９】
次に、本実施形態に係る眼科撮影装置１０の制御方法における処理手順について説明する。
図３−２は、本発明の第２の実施形態に係る眼科撮影装置１０の制御方法における処理手順の一例を示すフローチャートである。なお、図３−２において、図３−１と同様の処理ステップについては同じステップ番号を付しており、その詳細な説明は省略する。図３−２のフローチャートの処理を開始するのに際しては、予め記憶部２１１には、各被検者ごとに、過去に被検眼Ｅを撮影した際の光学ヘッド１００の撮影位置に係る撮影位置情報（第１の撮影位置情報）が記憶されているものとする。
【００６０】
まず、図３−２では、図３−１に示すステップＳ１０１及びＳ１０２の処理を経る。
【００６１】
ステップＳ１０２の判断の結果、図４に示す被検者リスト４０１に、検査対象の被検者の情報がある場合には（Ｓ１０２／Ｙｅｓ）、ステップＳ２０１に進む。
ステップＳ２０１に進むと、情報処理部２１０は、記憶部２１１から、当該検査対象の被検者において過去に被検眼Ｅを撮影した際の光学ヘッド１００の撮影位置に係る撮影位置情報（第１の撮影位置情報）を読み出す。ここで、図３−２に示す例では、撮影位置情報として、被検眼Ｅにおける水平方向及び垂直方向の各方向の、第１の注目点の位置、第２の注目点の位置及び２点間の長さの情報を読み出す。
【００６２】
続いて、ステップＳ２０２において、情報処理部２１０は、現在の光学ヘッド１００の撮影位置を検出する。ここで検出された撮影位置に係る撮影位置情報は、第２の撮影位置情報を構成する。具体的に、図３−２に示す例では、現在の被検眼Ｅにおける水平方向及び垂直方向の各方向の、第１の注目点の位置、第２の注目点の位置及び２点間の長さを検出する。
【００６３】
続いて、ステップＳ２０３において、情報処理部２１０は、ステップＳ２０１で読み出した過去の被検眼Ｅにおける水平方向及び垂直方向の２点間の長さと、ステップＳ２０２で検出した現在の被検眼Ｅにおける水平方向及び垂直方向の２点間の長さとを比較し、それぞれが同じであるか否かを判断する。
【００６４】
ステップＳ２０３の判断の結果、過去の被検眼Ｅにおける水平方向及び垂直方向の２点間の長さと、現在の被検眼Ｅにおける水平方向及び垂直方向の２点間の長さとが同じでない（即ち、異なる）場合には（Ｓ２０３／Ｎｏ）、ステップＳ２０４に進む。ここでは、過去の被検眼Ｅにおける水平方向の２点間の長さと現在の被検眼Ｅにおける水平方向の２点間の長さ、及び、過去の被検眼Ｅにおける垂直方向の２点間の長さと現在の被検眼Ｅにおける垂直方向の２点間の長さのうち、少なくともいずれか一方が異なる場合には、ステップＳ２０４に進む。
ステップＳ２０４に進むと、情報処理部２１０は、表示部２１２の撮影画面に、現在の光学ヘッド１００のパンチルトを動かすように促す指標を表示する制御を行う。具体的に、本実施形態では、過去のパンチルト角度に対する現在のパンチルト角度のずれを示す指標を表示部２１２に表示する制御を行う。
【００６５】
図５−２は、本発明の第２の実施形態を示し、図１−１の表示部２１２に表示される撮影画面５２０の一例を示す図である。この図５−２において、図５−１と同様の構成については同じ符号を付しており、その詳細な説明は省略する。
この撮影画面５２０には、指標５２１及び５２２が示されている。ここで、指標５２１はパンニングを促す指標であり、指標５２２はチルティングを促す指標である。この指標５２１及び５２２を表示することで、検者に対して、光学ヘッド１００のパンチルト角度を変えるように促すことができる。具体的に、図５−２に示す例では、指標５２１は、その表示態様が長方形になっており、これは、パンニング角度が過去撮影と同じになっていることを示している。一方、図５−２に示す例では、指標５２２は、その表示態様が台形形状になっており、これは、チルティング角度が過去撮影と同じになっていないことを示している。ここで、本実施形態では、過去のパンチルト角度に対する現在のパンチルト角度のずれ量を少なくする方向に検者にパンチルトさせるように、例えば、指標５２２では、当該方向を台形形状の先細っている側で示している。これらの表示により、検者は、パンチルト角度が過去撮影と同じになっているかどうかを視覚的に認識することができる。
【００６６】
ここで、再び、図３−２の説明に戻る。
ステップＳ２０４の処理が終了すると、ステップＳ２０２に戻る。そして、ステップＳ２０２以降の処理が再度行われる。このステップＳ２０２〜Ｓ２０４のループは、ステップＳ２０３において、過去の被検眼Ｅにおける水平方向及び垂直方向の２点間の長さと、現在の被検眼Ｅにおける水平方向及び垂直方向の２点間の長さとが同じであると判断されるまで繰り返される。
【００６７】
ステップＳ１０７の処理が終了した場合、或いは、ステップＳ２０３で過去の被検眼Ｅにおける水平方向及び垂直方向の２点間の長さと、現在の被検眼Ｅにおける水平方向及び垂直方向の２点間の長さとが同じであると判断された場合には（Ｓ２０３／Ｙｅｓ）、ステップＳ１０８に進む。
ステップＳ１０８に進むと、情報処理部２１０は、当該検査対象の被検者における被検眼Ｅの撮影を実行する制御を行う。この撮影制御を行う情報処理部２１０は、撮影制御手段を構成する。
【００６８】
続いて、ステップＳ２０５において、情報処理部２１０は、ステップＳ１０８の撮影により得られた撮影画像と対応付けて、ステップＳ２０２で検出した撮影位置情報である第２の撮影位置情報（被検眼Ｅにおける水平方向及び垂直方向の各方向の、第１の注目点の位置、第２の注目点の位置及び２点間の長さ）を記憶部２１１に記憶して保存する。
【００６９】
ステップＳ２０５の処理が終了すると、図３−２のフローチャートの処理が終了する。
【００７０】
第２の実施形態によれば、被検眼Ｅの経過観察を行う場合に、過去に撮影した過去画像の場合と同じ光学ヘッド１００の撮影位置で撮影を行うことができる。これにより、過去の撮影と同様の位置に被検眼Ｅを固定できれば、過去に撮影した過去画像と同一の被検眼Ｅの部位を撮影することができるため、被検眼Ｅの経過観察を行う場合に、適正な評価を行うことが可能となる。
【００７１】
（第３の実施形態）
次に、本発明の第３の実施形態について説明する。
【００７２】
上述した第１の実施形態では、チルティング位置（チルティング角度）及びパンニング位置（パンニング角度）の情報を、エンコーダーやポテンショメーターを用いて取得する形態であった。しかしながら、本発明においてはこの形態に限定されるものではない。第３の実施形態では、第２の実施形態と同様に、チルティング位置（チルティング角度）及びパンニング位置（パンニング角度）の情報を、被検眼Ｅの撮影画像または観察画像から取得する形態を採る。
【００７３】
第３の実施形態に係る眼科撮影装置の外観構成は、上述した図１−１に示す第１の実施形態に係る眼科撮影装置１０の外観構成と同様である。また、第３の実施形態における光学ヘッド１００の内部構成は、上述した図１−２に示す第１の実施形態における光学ヘッド１００の内部構成と同様である。なお、第３の実施形態に係る眼科撮影装置１０には、上述した第１の実施形態におけるエンコーダー等を備えないこととしてもよいし、また備えることとしてもよい。
【００７４】
次に、本実施形態におけるフォローアップ撮影時の処理について説明する。
【００７５】
図７は、本発明の第３の実施形態を示し、図１−１に示すチルティング機構部２０１による光学ヘッド１００のチルティング角度の検出方法を説明するための図である。
【００７６】
図７（ａ）において、注目領域７１０は、撮影画像中または観察画像中の被検眼における任意の領域である。光学ヘッド１００を被検眼Ｅに対してチルティングさせた場合、図７（ａ）に示す注目領域７１０は、図７（ｂ）に示す注目領域７２０に示すように見かけ上つぶれた円になる。本実施形態では、注目領域７１０の縦方向の長さ７１１と注目領域７２０の縦方向の長さ７２１の変化に着目し、情報処理部２１０は、画像中の被検眼における注目領域の縦方向の長さを検出することで、光学ヘッド１００のチルティング位置（チルティング角度）を検出する。
【００７７】
同様に、情報処理部２１０は、画像中の被検眼における注目領域の横方向の長さを検出することで、光学ヘッド１００のパンニング位置（パンニング角度）を検出する。
【００７８】
次に、本実施形態に係る眼科撮影装置１０の制御方法における処理手順について説明する。
図３−３は、本発明の第３の実施形態に係る眼科撮影装置１０の制御方法における処理手順の一例を示すフローチャートである。なお、図３−３において、図３−１と同様の処理ステップについては同じステップ番号を付しており、その詳細な説明は省略する。図３−３のフローチャートの処理を開始するのに際しては、予め記憶部２１１には、各被検者ごとに、過去に被検眼Ｅを撮影した際の光学ヘッド１００の撮影位置に係る撮影位置情報（第１の撮影位置情報）が記憶されているものとする。
【００７９】
まず、図３−３では、図３−１に示すステップＳ１０１及びＳ１０２の処理を経る。
【００８０】
ステップＳ１０２の判断の結果、図４に示す被検者リスト４０１に、検査対象の被検者の情報がある場合には（Ｓ１０２／Ｙｅｓ）、ステップＳ３０１に進む。
ステップＳ３０１に進むと、情報処理部２１０は、記憶部２１１から、当該検査対象の被検者において過去に被検眼Ｅを撮影した際の光学ヘッド１００の撮影位置に係る撮影位置情報（第１の撮影位置情報）を読み出す。ここで、図３−３に示す例では、撮影位置情報として、被検眼Ｅにおける注目領域の縦方向の長さ及び横方向の長さの情報を読み出す。
【００８１】
続いて、ステップＳ３０２において、情報処理部２１０は、現在の光学ヘッド１００の撮影位置を検出する。ここで検出された撮影位置に係る撮影位置情報は、第２の撮影位置情報を構成する。具体的に、図３−３に示す例では、現在の被検眼Ｅにおける注目領域の縦方向の長さ及び横方向の長さを検出する。
【００８２】
続いて、ステップＳ３０３において、情報処理部２１０は、ステップＳ３０１で読み出した過去の被検眼Ｅにおける注目領域の縦方向の長さ及び横方向の長さと、ステップＳ３０２で検出した現在の被検眼Ｅにおける注目領域の縦方向の長さ及び横方向の長さとを比較し、それぞれが同じであるか否かを判断する。
【００８３】
ステップＳ３０３の判断の結果、過去の被検眼Ｅにおける注目領域の縦方向の長さ及び横方向の長さと、現在の被検眼Ｅにおける注目領域の縦方向の長さ及び横方向の長さとが同じでない（即ち、異なる）場合には（Ｓ３０３／Ｎｏ）、ステップＳ３０４に進む。ここでは、過去の被検眼Ｅにおける注目領域の縦方向の長さと現在の被検眼Ｅにおける注目領域の縦方向の長さ、及び、過去の被検眼Ｅにおける注目領域の横方向の長さと現在の被検眼Ｅにおける注目領域の横方向の長さのうち、少なくともいずれか一方が異なる場合には、ステップＳ３０４に進む。
ステップＳ３０４に進むと、情報処理部２１０は、表示部２１２の撮影画面に、現在の光学ヘッド１００のパンチルトを動かすように促す指標を表示する制御を行う。具体的に、本実施形態では、過去のパンチルト角度に対する現在のパンチルト角度のずれを示す指標を表示部２１２に表示する制御を行う。
【００８４】
図５−３は、本発明の第３の実施形態を示し、図１−１の表示部２１２に表示される撮影画面５３０の一例を示す図である。この図５−３において、図５−１と同様の構成については同じ符号を付しており、その詳細な説明は省略する。
この撮影画面５３０には、指標５３１及び５３２が示されている。ここで、指標５３１は、パンニングを促す指標であり、図５−３に示す例では過去画像とのパンニング角度のずれ角度を示している。また、指標５３２は、チルティングを促す指標であり、図５−３に示す例では過去画像とのチルティング角度のずれ角度を示している。この指標５３１及び５３２を表示することで、検者に対して、光学ヘッド１００のパンチルト角度を変えるように促すことができる。なお、図５−３に示す指標５３１及び５３２では、過去画像に対するずれ角度を示しているが、本実施形態においてはこの態様に限定されるものではなく、例えば、光学ヘッド１００の絶対座標に対する角度を示すようにしてもよい。この場合、過去画像の絶対座標に対する角度と現在の絶対座標に対する角度を表示する態様を採る。
【００８５】
ここで、再び、図３−３の説明に戻る。
ステップＳ３０４の処理が終了すると、ステップＳ３０２に戻る。そして、ステップＳ３０２以降の処理が再度行われる。このステップＳ３０２〜Ｓ３０４のループは、ステップＳ３０３において、過去の被検眼Ｅにおける注目領域の縦方向の長さ及び横方向の長さと、現在の被検眼Ｅにおける注目領域の縦方向の長さ及び横方向の長さとが、それぞれ同じであると判断されるまで繰り返される。
【００８６】
ステップＳ１０７の処理が終了した場合、或いは、ステップＳ３０３で過去の被検眼Ｅにおける注目領域の縦方向の長さ及び横方向の長さと、現在の被検眼Ｅにおける注目領域の縦方向の長さ及び横方向の長さとが、それぞれ同じであると判断された場合には（Ｓ３０３／Ｙｅｓ）、ステップＳ１０８に進む。
ステップＳ１０８に進むと、情報処理部２１０は、当該検査対象の被検者における被検眼Ｅの撮影を実行する制御を行う。この撮影制御を行う情報処理部２１０は、撮影制御手段を構成する。
【００８７】
続いて、ステップＳ３０５において、情報処理部２１０は、ステップＳ１０８の撮影により得られた撮影画像と対応付けて、ステップＳ３０２で検出した撮影位置情報である第２の撮影位置情報（被検眼Ｅにおける注目領域の縦方向の長さ及び横方向の長さ）を記憶部２１１に記憶して保存する。
【００８８】
ステップＳ３０５の処理が終了すると、図３−３のフローチャートの処理が終了する。
【００８９】
第３の実施形態によれば、被検眼Ｅの経過観察を行う場合に、過去に撮影した過去画像の場合と同じ光学ヘッド１００の撮影位置で撮影を行うことができる。これにより、過去の撮影と同様の位置に被検眼Ｅを固定できれば、過去に撮影した過去画像と同一の被検眼Ｅの部位を撮影することができるため、被検眼Ｅの経過観察を行う場合に、適正な評価を行うことが可能となる。
【００９０】
（その他の実施形態）
上述した本発明の各実施形態では、光学ヘッド１００の角度検出方法と撮影画面上での検者への角度ずれ表示方法とを１対１で説明したが、光学ヘッド１００の角度検出方法と撮影画面上での検者への角度ずれ表示方法とは別の組み合わせであってもよい。例えば、第１の実施形態における光学ヘッド１００の角度検出方法と第２または第３の実施形態における撮影画面上での検者への角度ずれ表示方法とを組み合わせることとしてもよい。また、第２の実施形態における光学ヘッド１００の角度検出方法と第１または第３の実施形態における撮影画面上での検者への角度ずれ表示方法とを組み合わせることとしてもよい。さらに、第３の実施形態における光学ヘッド１００の角度検出方法と第１または第２の実施形態における撮影画面上での検者への角度ずれ表示方法とを組み合わせることとしてもよい。
【００９１】
また、第１乃至第３の実施形態における光学ヘッド１００の角度検出方法を組み合わせる形態も、本発明に適用可能である。この形態を採用する場合、例えば、第１の実施形態における光学ヘッド１００の角度検出方法を用いて粗い検出を行い、その後、第２または第３の実施形態における光学ヘッド１００の角度検出方法を用いて詳細な検出を行う。そして、この場合、第１の実施形態における図３−１のステップＳ１０５を、過去のパンチルト角度に対する現在のパンチルト角度のずれ量が閾値以内に入ったことを判定するステップとし、このステップＳ１０５において当該ずれ量が閾値以内に入ったと判定されたときに、第２の実施形態における図３−２のステップＳ２０３または第３の実施形態における図３−３のステップＳ３０３の当該ずれ量の判定を行うようにしてもよい。また、当該形態を採用する場合、上述したずれ量を表示する方法としては、例えば、図５−１に示す指標５１１及び５１２を使用し続けてもよいし、或いは、光学ヘッド１００の角度検出方法が変更されたことを明らかにするために図５−２に示す指標５２１及び５２２または図５−３に示す指標５３１及び５３２に変更するようにしてもよい。さらに、この場合、図５−１に示す指標５１１及び５１２と合わせて、図５−２に示す指標５２１及び５２２または図５−３に示す指標５３１及び５３２を表示するようにしてもよい。
【００９２】
また、上述した本発明の各実施形態では、断層画像を撮影する際にＳＳ（Ｓｗｅｐｔ  Ｓｏｕｒｃｅ）−ＯＣＴを用いることを想定した説明を行ったが、本発明においてはこれに限定されるものではない。例えば、断層画像を撮影する際に、ＳＤ（Ｓｐｅｃｔｒａｌ  Ｄｏｍａｉｎ）−ＯＣＴやＴＤ（Ｔｉｍｅ  Ｄｏｍａｉｎ）−ＯＣＴを用いてもよい。
【００９３】
さらに、上述した本発明の各実施形態では、被検眼Ｅの眼底部を観察するために、ＳＬＯを用いることを想定した説明を行ったが、例えばＳＬＯに代えて眼底カメラやＡＯ−ＳＬＯ等を用いることとしてもよい。
【００９４】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【００９５】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、又はその主要な特徴から逸脱することなく、様々な形で実施することができる。
【符号の説明】
【００９６】
１０  眼科撮影装置、１００  光学ヘッド、２００  ステージ部、２０１  チルティング機構部、２０２  パンニング機構部、２０３  ベース部、２０４  ジョイスティック、２１０  情報処理部、２１１  記憶部、２１２  表示部、２１３  入力部、３００  被検眼位置固定部、３０１  顎受け部、３０２  額当て部、３０３  目高線、３０４  外部固視灯
【図１−１】
0006624890.tif 000002
【図１−２】
0006624890.tif 000003
【図２】
0006624890.tif 000004
【図３−１】
0006624890.tif 000005
【図３−２】
0006624890.tif 000006
【図３−３】
0006624890.tif 000007
【図４】
0006624890.tif 000008
【図５−１】
0006624890.tif 000009
【図５−２】
0006624890.tif 000010
【図５−３】
0006624890.tif 000011
【図６】
0006624890.tif 000012
【図７】
0006624890.tif 000013